(57)【要約】【課題】導電性布帛と被覆導線との電気的接続と、導電性布帛の固定と、を同時に行うことができる接続部材を提供する。【解決手段】導電性布帛と被覆導線とを電気的に接続するための接続部材１であって、導電性布帛を挟持する第１部材１１及び第２部材１２を備え、第１部材は、第１部材本体１１１と、面状に形成された導電部１１２と、導電部と導通しており且つ導電部から突出するように形成された突起部１１３と、を有し、第２部材は、第２部材本体１２１と、導電部に重ね合わされる重ね合わせ部１２２と、被覆導線が固定される被覆導線固定部１２３と、を有し、導電性布帛を挟持するときには、導電部及び重ね合わせ部は、布帛本体と、布帛本体の端部より部分的に露出した導電糸と、を挟持し、突起部は、被覆導線固定部に固定された被覆導線の被覆部を貫通して、被覆導線の導線部と接触するように構成されていることを特徴とする。【選択図】図２
2012234688.tif 000002
【特許請求の範囲】
【請求項１】
布帛本体に導電糸が織り込まれ、前記布帛本体の端部より前記導電糸が部分的に露出している導電性布帛と、被覆部により導線部が被覆された被覆導線と、を電気的に接続するための接続部材であって、
前記導電性布帛を挟持する第１部材及び第２部材を備え、
前記第１部材は、第１部材本体と、前記第１部材本体の前記導電性布帛を挟持する面側に面状に形成された導電部と、前記導電部と導通しており且つ前記導電部から突出するように形成された突起部と、を有し、
前記第２部材は、第２部材本体と、前記第２部材本体の前記導電性布帛を挟持する面側に設けられ、前記導電部に重ね合わされる重ね合わせ部と、前記被覆導線が固定される被覆導線固定部と、を有し、
前記導電性布帛を挟持するときには、
前記導電部及び前記重ね合わせ部は、前記布帛本体と、前記布帛本体の端部より部分的に露出した前記導電糸と、を挟持し、これにより前記導電部と前記導電糸とが接触し、
前記突起部は、前記被覆導線固定部に固定された前記被覆導線の前記被覆部を貫通して、前記被覆導線の前記導線部と接触するように構成されたことを特徴とする接続部材。
【請求項２】
前記導電性部材を挟持するときには、前記突起部は、前記布帛本体を更に貫通する請求項１記載の接続部材。
【請求項３】
前記突起部は針形状である請求項１又は２記載の接続部材。
【請求項４】
前記突起部は板状の刃である請求項１又は２記載の接続部材。
【請求項５】
前記第１部材と前記第２部材とはヒンジ部により連結されている請求項１乃至４のいずれか一項に記載の接続部材。
【発明の詳細な説明】
【技術分野】
【０００１】
本発明は、導電性布帛と、被覆導線と、を電気的に接続するための接続部材に関する。更に詳しくは、導電性布帛と被覆導線との電気的接続と、導電性布帛の固定と、を簡易に行うことができる接続部材に関する。
【背景技術】
【０００２】
従来、構成糸の一部に導電糸を使用した導電性布帛が知られている。この導電性布帛は、例えば、導電糸に通電し、発熱させて昇温させることによりヒータ部材として用いることが知られている。ヒータ部材として用いる場合には、例えば、車両、特に乗用車等のシートにおいて、シートクッション等の表皮材の裏面に貼着し、冬期等の寒冷時に乗員を下方等から暖めるようにする。また、これらの導電性布帛では、通常、側端部に接続部材が取り付けられており、導電性布帛の導電糸と、接続部材の導電部とが電気的に接続され、給電されて導電糸が発熱し、ヒータ部材として機能する構成となっている。
【０００３】
上記のように、導電性布帛に給電するための接続部材は、各種の方法により取り付けることができ、多くの取り付け構造が知られている。例えば、導電糸と、この導電糸と導通するように織り込まれた電極と、を有する布帛の電極部位を布帛ごと端子で挟み込むことにより端子と導電糸とを導通させ、更に、端子に被覆導線を接続することにより布帛への給電が可能となる構造が知られている（例えば、特許文献１参照）。
【先行技術文献】
【特許文献】
【０００４】
【特許文献１】特開昭６３−９１９８９号公報
【発明の概要】
【発明が解決しようとする課題】
【０００５】
しかしながら、上記特許文献１に示されるような構造では、端子により布帛を挟持する作業とは別に、被覆導線を端子に接続するために、被覆導線の被覆を剥ぎ、導線に座金を取り付け、更に、座金と端子とを鳩目によりかしめる、といった作業が必要であり、煩雑であった。また、導電糸と端子とを導通させるための電極や、被覆導線と端子とを接続するための座金、鳩目などを用いているので、部品点数が増えてしまう、といった問題があった。
【０００６】
本発明は、以上の問題に鑑み、導電性布帛と被覆導線との電気的接続と、導電性布帛の固定と、を簡易に行うことができる接続部材を提供することを目的とする。
【課題を解決するための手段】
【０００７】
上記問題点を解決するために、請求項１に記載の発明は、布帛本体に導電糸が織り込まれ、前記布帛本体の端部より前記導電糸が部分的に露出している導電性布帛と、被覆部により導線部が被覆された被覆導線と、を電気的に接続するための接続部材であって、
前記導電性布帛を挟持する第１部材及び第２部材を備え、
前記第１部材は、第１部材本体と、前記第１部材本体の前記導電性布帛を挟持する面側に面状に形成された導電部と、前記導電部と導通しており且つ前記導電部から突出するように形成された突起部と、を有し、
前記第２部材は、第２部材本体と、前記第２部材本体の前記導電性布帛を挟持する面側に設けられ、前記導電部に重ね合わされる重ね合わせ部と、前記被覆導線が固定される被覆導線固定部と、を有し、
前記導電性布帛を挟持するときには、
前記導電部及び前記重ね合わせ部は、前記布帛本体と、前記布帛本体の端部より部分的に露出した前記導電糸と、を挟持し、これにより前記導電部と前記導電糸とが接触し、
前記突起部は、前記被覆導線固定部に固定された前記被覆導線の前記被覆部を貫通して、前記被覆導線の前記導線部と接触するように構成されたことを要旨とする。
【０００８】
請求項２に記載の発明は、請求項１において、前記導電性部材を挟持するときには、前記突起部は、前記布帛本体を更に貫通することを要旨とする。
【０００９】
請求項３に記載の発明は、請求項１又は２において、前記突起部は針形状であることを要旨とする。
【００１０】
請求項４に記載の発明は、請求項１又は２において、前記突起部は板状の刃であることを要旨とする。
【００１１】
請求項５に記載の発明は、請求項１乃至４のいずれか一項において、前記第１部材と前記第２部材とはヒンジ部により連結されていることを要旨とする。
【発明の効果】
【００１２】
本発明の接続部材によれば、布帛本体に導電糸が織り込まれ、布帛本体の端部より導電糸が部分的に露出している導電性布帛を挟持する第１部材及び第２部材を備えている。第１部材は、第１部材本体と、この第１部材本体の導電性布帛を挟持する面側に面状に形成された導電部と、導電部と導通しており且つ導電部から突出するように形成された突起部と、を有し、第２部材は、第２部材本体と、第２部材本体の導電性布帛を挟持する面側に設けられ、導電部に重ね合わされる重ね合わせ部と、被覆導線が固定される被覆導線固定部と、を有する。そして、導電性布帛を挟持するときには、導電部及び重ね合わせ部は、導電性布帛の布帛本体と、布帛本体の端部より部分的に露出した導電糸と、を挟持し、これにより導電部と導電糸とが接触する。また、突起部は、被覆導線固定部に固定された被覆導線の被覆部を貫通して、被覆導線の導線部と接触する。このような構成により、導電性布帛と被覆導線とを電気的に接続する作業と、導電性布帛を固定する作業と、を従来よりも簡易に行うことができる。
【００１３】
また、前記導電性部材を挟持するときに、前記突起部が、前記布帛本体を更に貫通する場合は、導電性布帛をより確実に固定することができる。
【００１４】
更に、前記突起部が針形状である場合は、突起部を布帛本体と被覆部とに貫通させるのが容易であるので、突起部を導線に確実に到達させることができる。
【００１５】
また、前記突起部が板状の刃である場合は、突起部が針形状である場合と比較して、導線と突起部との接触面積を大きくすることができるので、突起部と導線とを確実に導通させることができる。
【００１６】
更に、前記第１部材と前記第２部材とがヒンジ部により連結されている場合は、各部材が別体に設けられている場合と比較して、２つの部材の組み付け位置や向きを合わせる作業が容易になり、より簡易な作業で、導電性布帛と被覆導線とを電気的に接続することができる。
【図面の簡単な説明】
【００１７】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】接続部材により導電性布帛と被覆導線とを接続した例を示す斜視図である。
【図２】実施例に係る接続部材を示す斜視図である。
【図３】実施例に係る接続部材の部分断面図である。
【図４】実施例に係る接続部材の部分断面図である。
【図５】実施例に係る接続部材の作用を説明するための説明図である。
【図６】実施例に係る接続部材の作用を説明するための説明図である。
【図７】実施例に係る接続部材の作用を説明するための説明図である。
【図８】他の実施形態に係る接続部材の部分拡大斜視図である。
【図９】他の実施形態に係る接続部材の部分拡大断面図である。
【図１０】他の実施形態に係る接続部材の部分拡大断面図である。
【図１１】他の実施形態に係る接続部材の部分拡大断面図である。
【図１２】他の実施形態に係る接続部材を示す斜視図である。
【図１３】他の実施形態に係る接続部材を示す斜視図である。
【図１４】他の実施形態に係る接続部材を示す斜視図である。
【図１５】他の実施形態に係る接続部材を示す斜視図である。
【発明を実施するための形態】
【００１８】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１９】
本実施形態に係る接続部材（１）は、布帛本体（２１）に導電糸（２２）が織り込まれ、前記布帛本体の端部より前記導電糸が部分的に露出している導電性布帛（２）と、被覆部（３１）により導線部（３２）が被覆された被覆導線（３）と、を電気的に接続するための接続部材である。接続部材は、導電性布帛を挟持する第１部材（１１）及び第２部材（１２）を備えている。
第１部材は、第１部材本体（１１１）と、第１部材本体の導電性布帛を挟持する面側に面状に形成された導電部（１１２）と、導電部と導通しており且つ導電部から突出するように形成された突起部（１１３）と、を有し、
第２部材は、第２部材本体（１２１）と、第２部材本体の導電性布帛を挟持する面側に設けられ、導電部に重ね合わされる重ね合わせ部（１２２）と、被覆導線が固定される被覆導線固定部（１２３）と、を有している。
そして、導電性布帛を挟持するときには、
導電部及び重ね合わせ部は、布帛本体と、布帛本体の端部より部分的に露出した導電糸と、を挟持し、これにより導電部と導電糸とが接触し、
突起部は、被覆導線固定部に固定された被覆導線の被覆部を貫通して、被覆導線の導線部と接触するように構成されたことを特徴とする。
【００２０】
上記「第１部材」の構成、形状、大きさ等は特に問わない。
上記「第１部材本体」の形状、大きさ、材質等は特に問わない。この第１部材本体の材質としては、例えば、金属等の導電性を有する材質であってもよいし、樹脂やセラミックス等の非導電性の材質であってもよい。
【００２１】
上記「導電部」は、上記第１部材本体の導電性布帛を挟持する面側に面状に形成されている限り、その構成、形状、大きさ等は特に問わない。この導電部の形成形態としては、例えば、導電性を有する板状の部材を第１部材本体に取り付ける形態や、メッキ等により導電性の皮膜を第１部材本体に形成する形態等が挙げられる。また、導電部は、第１部材本体が導電性を有する場合には、第１部材本体と一体的に形成されていてもよい。
【００２２】
上記「突起部」は、上記導電部と導通しており且つ導電部から突出するように形成されている限り、その形状、大きさ、個数等は特に問わない。この突起部の形態としては、例えば、針形状に形成されている形態（例えば、図２、図３等参照）、板状の刃（例えば、図８、図９、図１０等参照）である形態等を挙げることができる。突起部が板状の刃である場合、その先端部には、例えば、断面略Ｖ字形状（例えば、図９等参照）や断面略円弧形状（例えば、図１０等参照）等の窪みが形成されていることができる。
【００２３】
上記「第２部材」の構成、形状、大きさ等は特に問わない。
上記「第２部材本体」の形状、大きさ、材質等は特に問わない。この第２部材本体の材質としては、上記第１部材本体と同様に、例えば、金属、樹脂、セラミックス等であることができる。
【００２４】
上記「重ね合わせ部」は、上記第２部材本体の導電性布帛を挟持する面側に設けられる限り、その構成、形状、大きさ、材質等は特に問わない。この重ね合わせ部の材質としては、例えば、樹脂やセラミックス等の非導電性の材質であってもよいが、金属等の導電性を有する材質であることが好ましい。第１部材の導電部とともに導電性布帛を挟持したときに、導電性布帛の端部より部分的に露出した導電糸と導通することができ、確実な電気的接続を実現できるからである。また、重ね合わせ部は、例えば、上記第２部材本体と一体的に形成されていてもよい。
【００２５】
上記「被覆導線固定部」は、被覆導線を固定する限り、その構成、固定形態等は特に問わない。被覆導線固定部による被覆導線の固定形態としては、例えば、溝状に形成された被覆導線固定部に被覆導線を敷設する形態（例えば、図６、図７等参照）や、爪状に形成された被覆導線固定部により被覆導線を挟持して固定する形態、平面状の被覆導線固定部に被覆導線を接着等により固定する形態等を挙げることができる。
被覆導線固定部が溝状に形成されている場合、その断面形状等は特に問わないが、例えば、略Ｕ字形状（例えば、図４等参照）等であることができる。この場合、例えば、溝の底部側が略Ｖ字形状の溝状であってもよい。
【００２６】
ここで、本実施形態に係る接続部材は、上記第１部材と上記第２部材とにより上記導電性布帛を挟持するときの形態として、例えば、（ｉ）上記突起部が、布帛本体と、被覆導線固定部に固定された被覆導線の被覆部と、を貫通する形態（例えば、図５、図６等参照）、（ｉｉ）上記突起部が、被覆導線固定部に固定された被覆導線の被覆部のみを貫通する形態（例えば、図１４、図１５等参照）等であることができる。
【００２７】
上記（ｉｉ）の場合、例えば、導電性布帛を固定するための布帛固定用突起部（１１４）を更に設けるようにしてもよい。布帛固定用突起部は、例えば、第１部材及び第２部材のうちの一方の部材に設けられ、布帛本体を貫通して導電性布帛を固定することができる。また、布帛固定用突起部は、例えば、上記突起部と同様の形態であることができるが、必ずしも導電部と導通していなくてもよく、導電性を有していなくてもよい。第１部材及び第２部材のうちの一方の部材に布帛固定用突起部が設けられている場合、例えば、他方の部材には、布帛固定用突起部を収容するための収容孔（１２４）を形成するようにすることができる。上記収容孔は、布帛固定用突起部を収容する限り、その大きさ、形状等は特に問わない。
【００２８】
本実施形態に係る接続部材は、例えば、上記第１部材と上記第２部材とがヒンジ部（１３）により連結されていることができる（例えば、図１、図２等参照）。
上記「ヒンジ部」の形態は特に限定されないが、例えば、第１部材の第１部材本体と、第２部材の第２部材本体と、が樹脂等の一体成形により形成されており、それらの連結部分の断面上の厚さを減少させることにより形成されている形態（例えば、図１、図２等参照）、第１部材と第２部材とが別体に形成されており、それらを連結する更に別体の部材である形態等であることができる。
【００２９】
本実施形態に係る接続部材は、例えば、導電性布帛を挟持した状態で第１部材と第２部材とを係止する係止手段を更に備えることができる。この係止手段の形態としては、例えば、第１部材及び第２部材のうちの一方の部材側に設けられた係止部（１４１）と、他方の部材側に設けられて係止部と係合する被係止部（１４２）と、により構成される係止手段（１４）である形態（例えば、図１２等参照）や、接着材等を用いて係止される形態等であることができる。上記「係止部」及び「被係止部」の形状、大きさ、個数等は特に問わない。
【００３０】
本実施形態に係る接続部材は、例えば、突起部を被覆導線に案内する案内部材を更に備えることができる。この案内部材の形状、大きさ、材質、個数等は特に問わない。案内部材の形態としては、例えば、突起部を案内する案内孔（１５１）が形成された板状の案内部材（１５）である形態（例えば、図１３等参照）等であることができる。
【実施例】
【００３１】
以下、本発明の接続部材を図面に基づいて説明する。
【００３２】
（１）接続部材の構成
本実施例に係る接続部材１は、図１に示すように、導電性布帛２と、被覆導線３と、を電気的に接続するための接続部材である。接続部材１は、図２に示すように、第１部材１１と、第２部材１２とを備えている。接続部材１は、これら第１部材１１及び第２部材１２により導電性布帛２を挟持する。
【００３３】
図２及び図３に示すように、第１部材１１は、第１部材本体１１１と、導電部１１２と、突起部１１３と、を有している。第１部材本体１１１は、樹脂製で板状に形成されている。導電部１１２は、第１部材１１の導電性布帛２を挟持する面側に面状に形成されている。突起部１１３は、導電性布帛２を挟持する方向に、導電部１１２から突出するように形成されている。導電部１１２及び突起部１１３は、それぞれ導電性材料で形成されており、互いに導通している。本実施例において、導電部１１２及び突起部１１３は、銅等の金属で一体的に形成されている。また、本実施例において、突起部１１３は針形状をなしている。
【００３４】
図２及び図４に示すように、第２部材１２は、第２部材本体１２１と、重ね合わせ部１２２と、被覆導線固定部１２３と、を有している。第２部材本体１２１は、樹脂製で板状に形成されている。重ね合わせ部１２２は、第２部材本体１２１の導電性布帛２を挟持する面側に設けられており、第１部材１１の導電部１１２に重ね合わされる。図４に示すように、本実施例において、重ね合わせ部１２２は、導電部１１２と同様に、導電性材料で面状に形成されている。また、被覆導線固定部１２３には被覆導線３が固定される。図２及び図４に示すように、本実施例において、被覆導線固定部１２３は、被覆導線３を敷設可能な断面略Ｕ字形状の溝状に形成されている。
【００３５】
本実施例に係る接続部材１は、第１部材１１及び第２部材１２を連結するヒンジ部１３を備えている。ヒンジ部１３は、第１部材１１の第１部材本体１１１及び第２部材１２の第２部材本体１２１と、樹脂で一体的に形成されている。ヒンジ部１３は、第１部材１１と第２部材１２とを一体成形する際に、それらの連結部分の断面上の厚さを減少させることにより形成されたヒンジである。
【００３６】
導電性布帛２は、図５に示すように、布帛本体２１に導電糸２２が織り込まれてなり、布帛本体２１の端部からは導電糸２２が部分的に露出している。また、被覆導線３は、図６に示すように、絶縁体からなる被覆部３１と、導体からなり、被覆部３１により被覆された導線部３２と、を備えている。
【００３７】
（２）接続部材の作用
次に、接続部材１の作用について説明する。
接続部材１を用いて導電性布帛２と被覆導線３とを電気的に接続するにあたり、最初に、図５に示すように、導電性布帛２を、第１部材１１の導電部１１２に取り付ける。このとき、図６に示すように、導電性布帛２の布帛本体２１の端部側を突起部１１３に貫通させるとともに、布帛本体２１の端部から部分的に露出した導電糸２２を導電部１１２に載置する。これにより、導電性布帛２が接続部材１に対して位置決めされるとともに、布帛本体２１の端部から部分的に露出した導電糸２２が導電部１１２に接触して導通する。また、このとき、本実施例では、図６に示すように、布帛本体２１の端部から部分的に露出した導電糸２２を、第２部材１２の重ね合わせ部１２２に形成された被覆導線固定部１２３側まで延ばして載置するようにするようにしている。
【００３８】
次に、図６に示すように、被覆導線３を被覆導線固定部１２３に固定する。本実施例では、被覆導線固定部１２３が溝状に形成されているので、被覆導線３をこの溝に敷設して固定する。また、本実施例では、上述のように、布帛本体２１の端部から部分的に露出した導電糸２２を、第２部材１２の重ね合わせ部１２２に形成された被覆導線固定部１２３側まで延ばして載置するようにしており、これら導電糸２２を、被覆導線３と被覆導線固定部１２３とにより導電糸２２を挟み込むようにしている。なお、この場合、被覆導線３と被覆導線固定部１２３とにより導電糸固定手段が構成されているといえる。
【００３９】
最後に、図７に示すように、第１部材１１の導電部１１２に第２部材１２の重ね合わせ部１２２を重ね合わせる。本実施例では、第１部材１１と第２部材１２とはヒンジ部１３により連結されているので、このヒンジ部１３で折り曲げて導電部１１２と重ね合わせ部１２２とを重ね合わせる。これにより、導電性布帛２の布帛本体２１と、布帛本体２１の端部から部分的に露出した導電糸２２と、が、導電部１１２と、重ね合わせ部１２２と、により挟持され、導電性布帛２が接続部材１に対して固定される。同時に、突起部１１３が、被覆導線３の被覆部３１を貫通して導線部３２と接触する。これにより、突起部１１３と導線部３２とが導通し、導電性布帛２と被覆導線３とが電気的に接続される。
【００４０】
（３）実施例の効果
以上より、本実施例の接続部材１によると、布帛本体２１に導電糸２２が織り込まれ、布帛本体２１の端部より導電糸２２が部分的に露出している導電性布帛２を挟持する第１部材１１及び第２部材１２を備えている。第１部材１１は、第１部材本体１１１と、第１部材本体１１１の導電性布帛２を挟持する面側に面状に形成された導電部１１２と、導電部１１２と導通しており且つ導電部１１２から突出するように形成された突起部１１３と、を有し、第２部材１２は、第２部材本体１２１と、第２部材本体１２１の導電性布帛２を挟持する面側に設けられ、導電部１１２に重ね合わされる重ね合わせ部１２２と、被覆導線３が固定される被覆導線固定部１２３と、を有する。そして、導電性布帛２を挟持するときには、導電部１１２及び重ね合わせ部１２２は、導電性布帛２の布帛本体２１と、布帛本体２１の端部より部分的に露出した導電糸２２と、を挟持し、これにより導電部１１２と導電糸２２とが接触する。また、突起部１１３は、布帛本体２１と、被覆導線固定部１２３に固定された被覆導線３の被覆部３１と、を貫通して、被覆導線３の導線部３２と接触する。このような構成により、導電性布帛２と被覆導線３とを電気的に接続する作業と、導電性布帛２を固定する作業と、を従来よりも簡易に行うことができる。
【００４１】
また、本実施例では、突起部１１３を針形状としたので、布帛本体２１と被覆部３１とを容易に貫通することができる。
【００４２】
更に、本実施例では、第１部材１１と第２部材１２とはヒンジ部１３により連結されているので、第１部材１１と第２部材１２とが別体に設けられている場合と比較して、２つの部材の組み付け位置や向きを合わせる作業が容易になり、より簡易な作業で、導電性布帛と被覆導線とを電気的に接続することができる。
【００４３】
また、本実施例では、被覆導線固定部１２３を溝状に形成したので、被覆導線３を溝に嵌め込むという簡易な作業で被覆導線３を固定することができる。
【００４４】
更に、本実施例では、被覆導線３を被覆導線固定部１２３に固定する際に、被覆導線３と被覆導線固定部１２３とにより、布帛本体２１の端部から部分的に露出した導電糸２２を挟み込むようにしたので、布帛本体２１の端部から部分的に露出した導電糸２２を接続部材１に対して固定することができる。これにより、導電部１１２と重ね合わせ部１２２とによる導電糸２２の挟持が容易になる。
【００４５】
なお、本発明においては、上記実施例に限られず、目的、用途に応じて本発明の範囲内で種々変更することができる。即ち、上記実施例では、本発明に係る突起部として、針形状の突起部１１３を例示したが、これに限定されず、例えば、図８に示すように、突起部１１３Ａとして、板状の刃としてもよい。この場合、針形状である場合と比較して、突起部と導線部との接触面積を大きくすることができるので、突起部と導線部とを確実に導通刺せることができる。また、突起部を板状の刃とした場合、その先端に、図９に示すように、その先端部に略Ｖ字形状の窪みを形成した突起部１１３Ｂとしたり、図１０に示すように、先端部に円弧状の窪みを形成した突起部１１３Ｃとしたりしてもよい。これら窪みを形成することにより断面略円形状の被覆導線を確実に捉えることができ、突起部による被覆部の貫通及び突起部と導線部との接触を確実なものとすることができる。
【００４６】
また、上記実施例では、被覆導線固定部として、断面略Ｕ字形状の溝状の被覆導線固定部１２３を例示したが、これに限定されず、例えば、図１１に示すように、底部側が略Ｖ字形状に形成された溝状の被覆導線固定部１２３Ａとしてもよい。このような被覆導線固定部とすることにより、被覆導線の溝内での位置を規制することができるので、突起部による被覆部の貫通及び突起部と導線部との接触を確実なものとすることができる。
【００４７】
更に、本発明に係る接続部材は、導電性布帛を挟持した状態で第１部材と第２部材とを係止する係止手段を更に備えるようにしてもよい。この係止手段は、例えば、図１２に示すように、一方の部材側に突出するように設けられた凸状の係止部１４１と、他方の部材側に設けられて係止部と係合する凹状の被係止部１４２と、により構成される係止手段１４であることができる。
【００４８】
また、本発明に係る接続部材は、突起部を被覆導線に案内する案内部材をさらに備えるようにしてもよい。この案内部材は、例えば、図１３に示すように、突起部を案内する案内孔１５１が形成された板状の案内部材１５であることができる。これにより、突起部を被覆導線に確実に案内することができるので、突起部による被覆部の貫通及び突起部と導線部との接触を確実なものとすることができる。また、図１３に示すように、案内部材１５を、被覆導線３を押さえるように被覆導線固定部１２３に嵌め込むことにより、被覆導線３が被覆導線固定部１２３から脱落することを防止することができる。
【００４９】
更に、上記実施例では、突起部１１３が、導電性布帛２の布帛本体２１と、被覆導線３の被覆部３１と、を貫通するようにしたが、これに限定されず、例えば、図１４に示すように、突起部１１３が、被覆導線固定部に固定された被覆導線の被覆部のみを貫通する形態であってもよい。この場合、導電性布帛２の布帛本体２１は、導電部１１２と、重ね合わせ部１２２と、により挟持されて固定される。また、例えば、図１５に示すように、突起部１１３とは別に、導電性布帛２を固定するための布帛固定用突起部１１４を更に設けるようにしてもよい。布帛固定用突起部１１４は、導電部１１２から突出するように形成されており、導電性布帛２を挟持するときには、この布帛固定用突起部１１４は、布帛本体２１を貫通して導電性布帛２を固定する。この場合、突起部１１３は、被覆導線３の被覆部３１のみを貫通して導線部３２と接触するようになっている。また、この場合、導電部１１２と重ね合わせ部１２２とが重ね合わされたときに布帛固定用突起部１１４を収容するための収容孔１２４を第２部材１２に形成するようにしてもよい。
【００５０】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５１】
本発明は上記で詳述した実施形態に限定されず、本発明の請求項に示した範囲で様々な変形または変更が可能である。
【産業上の利用可能性】
【００５２】
導電性布帛と被覆導線とを電気的に接続する技術として広く利用される。特に、導電糸に通電することにより発熱するヒータ部材として用いられる導電性布帛と、これに給電する被覆導線と、を接続する技術として好適に利用される。
【符号の説明】
【００５３】
１；接続部材、１１；第１部材、１１１；第１部材本体、１１２；導電部、１１３，１１３Ａ，１１３Ｂ，１１３Ｃ；突起部、１１４；布帛固定用突起部、１２；第２部材、１２１；第２部材本体、１２２；重ね合わせ部、１２３，１２３Ａ；被覆導線固定部、１２４；収容孔、１３；ヒンジ部、１４；係止手段、１４１；係止部、１４２；被係止部、１５；案内部材、１５１；案内孔、２；導電性布帛、２１；布帛本体、２２；導電糸、３；被覆導線、３１；被覆部、３２；導線部。
【図１】
2012234688.tif 000003
【図２】
2012234688.tif 000004
【図３】
2012234688.tif 000005
【図４】
2012234688.tif 000006
【図５】
2012234688.tif 000007
【図６】
2012234688.tif 000008
【図７】
2012234688.tif 000009
【図８】
2012234688.tif 000010
【図９】
2012234688.tif 000011
【図１０】
2012234688.tif 000012
【図１１】
2012234688.tif 000013
【図１２】
2012234688.tif 000014
【図１３】
2012234688.tif 000015
【図１４】
2012234688.tif 000016
【図１５】
2012234688.tif 000017